(57)【要約】【課題】  本考案は捕獲柵内部に捕獲ネットを設置することで野生動物を安全かつ容易に取出し、運搬を行う。【解決手段】  本考案は１の捕獲柵本体の内部床を覆うように８の捕獲ネットを１８の捕獲ネット収納スペースに収納し、進入口の反対側となる面には４の閉鎖板を用いて閉鎖し、１の進入口には５の進入口閉鎖板を、両側面には６の側面目隠し板を７のガイドレールに沿って上部に持ち上げ１０の回転式仕掛けピンにて固定し、１０と１５の餌箱とを１４の仕掛けワイヤーで繋げ、その１５が動物にて引かれることで１０が外れ、５と６が自重によって７を沿って落下し、捕獲、目隠しを同時に行う。８を１９、２０のワイヤーで引き上げ、１９が８の開口部を巾着状に廻っていることにより引きあうと８の開口部が締まり、そのまま１０の自在開閉式上部ハッチより安全かつ容易に取出し、運搬を行うことができる。【選択図】    図１
0003111427.tif 000002
【実用新案登録請求の範囲】
【請求項１】
捕獲柵内部に捕獲ネットを設置し、野生動物を当該捕獲柵にて捕獲した後、取出し、運搬の際には、捕獲した野生動物を捕獲柵内部で捕獲ネットに格納し、開閉式上部ハッチより引き上げることで、捕獲動物を傷めることなく安全かつ容易に取出し、運搬を行うことができることを特徴とする野生生物捕獲柵
【考案の詳細な説明】
【技術分野】
【０００１】  本考案は捕獲柵内部に捕獲用ネットを設置した、野生動物捕獲柵に関するものである。
【背景技術】
【０００２】  野生動物捕獲後の運搬は野生動物が収容された状態での柵本体ごとを処理施設まで運搬し、手作業によって柵の扉を開け野生生物を引き出していた。
【考案の開示】
【考案が解決しようとする課題】
【０００３】  野生動物を捕獲した状態での柵の運搬は重量があり、車輌積載量に影響を及ぼすことで経済的負担も大きく。また、必死で暴れ廻る野生動物を手作業で取出す作業は危険かつ時間を要することから時間的、労働的負担である。
従って、捕獲柵と捕獲ネット及び開閉式上部ハッチを合わせ持つことで、捕獲した野生動物を安全かつ容易に運搬、取出しが可能となり前述の欠点を解決しようとするものである。
【課題を解決するための手段】
【０００４】  本考案は、捕獲柵内部床下に捕獲ネットを設置し、捕獲柵上部を開閉自在となるようにし、野生動物が捕獲柵に進入し内部床置きの餌箱を動かすことで仕掛けが作動し扉重量により閉鎖され、さらに捕獲ネット開口部廻りを巾着袋のように通された吊り上げワイヤーを上方に引き上げることで、捕獲ネット内に野生動物を収容し、かつネット開口部が締まることで、そのまま捕獲柵から吊り上げて取出すことにより問題点を解決している。
【考案の効果】
【０００５】  上述の様に、本考案の野生動物捕獲柵は野生動物を捕獲することは勿論、捕獲柵内部にて野生動物を捕獲ネットに収容できるので、野生動物を安全かつ容易に取出すことができ時間的、労働的負担を軽減することが出来る。
更に捕獲現場にて、捕獲ネットに収容し当該柵から取出しが可能なことから柵本体を運搬する必要が無くなり経済的負担を軽減することができる。
【考案を実施するための最良の形態】
【０００６】  捕獲柵本体の入り口閉鎖板及び両側の目隠し板の閉鎖は、餌箱より延びたワイヤーがガイドレールに沿って持ち上げられた各板を２点で支える回転式仕掛けピンに繋がれており、野生動物が餌箱を手前に引くことでワイヤーが引かれてピンが外れ、各板の自重によってガイドレールに沿って落下し閉鎖される。また、自在開閉式上部ハッチが野生動物で下から開かれないようにハッチ下部には上部閉鎖板が差し込まれ、捕獲柵床には捕獲ネットを引き上げる際に捕獲ネットが長方形開口を保ったまま上部に引き上げられるようネット開口部四隅に取り付くリングを当該柵内部四隅に立ち上がる丸鋼に通して、自在開閉蓋が付く床廻り収納スペースに床板を覆うようして収納される。また、捕獲ネット開口部四隅には、一対角にて巾着状を形成する吊り上げワイヤーと一対角に丸鋼に沿って引き上げる時に使用する引き上げワイヤー計４本が伸びており、このワイヤーを捕獲柵上部四隅より伸ばしておくことで、各種ワイヤーを捕獲柵外部より引くことができ、かつ、各種ワイヤーを引き上げることで、捕獲動物を捕獲柵上部より取出すことができる。
【実施例】
【０００７】  以下、添付図面に従って一実施例を説明する。１の捕獲柵本体は２の鋼製Ｌ型アングルで箱型のフレームを形成し３の鋼製ワイヤーメッシュにて２の両側面を塞ぎ、進入口の反対側となる面には４の閉鎖板を用いて閉鎖し、５の進入口閉鎖板と６の側面目隠し板を上下にスライドさせる為、７のガイドレールが４、５、６の両側となる２に取り付けられ、床面には８の捕獲ネットを収納できる９の仕掛け床板が取り付けられ、上部には１０の自在開閉式上部ハッチを取り付け、更に１０の下には野生動物が暴れることによって１０が開くのを防止する為に、１１の上部閉鎖板が７に沿って差し込まれる。また捕獲柵内部四隅には１２の引き上げガイドバーの下端部が溶接にて固定され、１の捕獲柵本体を形成する。【０００８】  前記５、６を２で形成されたフレームより上部に７に沿って持ち上げた状態で１３の回転式仕掛けピンにて５、６を支え、それぞれの１３は１４の仕掛けワイヤーと繋がっており、１４は４に開けた小穴を通って１５の餌箱とも繋がることで、１５が野生動物に引かれると１４が連動し１３も引っ張られて回転することにより５、６から外れ、５、６は自重によって７を沿って落下し閉鎖及び目隠しがされて野生動物を捕獲することができる。【０００９】  ８の長方形開口部四隅には１６のガイドリングが取り付けられており、１６を１２に通して９を覆うように１７の自在開口蓋を開け１８の捕獲ネット収納スペース内に収納する。また、８の長方形開口部四隅にはネット開口部を巾着状に形成する為の１９の吊り上げワイヤー２本と２０の引き上げワイヤー２本が長方形開口部にそれぞれ対角から伸び、１の上部四隅より引き出しておき、捕獲時には１９、２０の端部に取り付けている２１の吊り上げリングにて１９、２０を引き上げることで１６が１２に沿って上方に持ち上がり同時に８の開口部を長方形に保った状態で引き上げることができる。【００１０】  １２の最上部まで１６を引き上げると１２から１６が外れ、更に１９を柵外周に引っ張ることによって巾着袋状に８の開口部が締まり、柵側面より１１を引き抜き１０上部より２１を吊り上げることによって野生動物を引き上げることができる。
【図面の簡単な説明】
【００１１】
【図１】本考案の野生動物捕獲柵の一実施例を示すアイソメ図である。
【図２】本野生動物捕獲柵の一部切欠断面図である。
【図３】本野生動物捕獲柵内に設置される捕獲ネットのアイソメ図である。
【符号の説明】
【００１２】１    捕獲柵本体
２    鋼製Ｌ型アングル
３    鋼製ワイヤーメッシュ
４    閉鎖板
５    進入口閉鎖板
６    側面目隠し板
７    ガイドレール
８    捕獲ネット
９    仕掛け床板
１０  自在開閉式上部ハッチ
１１  上部閉鎖板
１２  鋼製引き上げガイドバー
１３  回転式仕掛けピン
１４  仕掛けワイヤー
１５  餌箱
１６  ガイドリング
１７  自在開口蓋
１８  捕獲ネット収納スペース
１９  吊り上げワイヤー
２０  引き上げワイヤー
２１  吊り上げリング
【図１】
0003111427.tif 000003
【図２】
0003111427.tif 000004
【図３】
0003111427.tif 000005